(57)【要約】【課題】端末のユーザが、設備機器において何らかのイベントが生じた旨を即座に知ることができる設備機器管理システムを提供する。【解決手段】設備機器管理システム１は、管理装置３と端末４ａ，４ｂ，４ｃとを備える。管理装置３は、空調機２１ａ，２２ａ，２１ｂ，２２ｂを管理する。端末４ａ，４ｂ，４ｃは、管理装置３に接続されている。そして、管理装置３は、空調機２１ａ，２２ａ，２１ｂ，２２ｂにおいてイベントが生じた場合、これを検出する。そして、管理装置３は、検出されたイベントに関するイベント情報を、１以上の端末４ａ，４ｂ，４ｃに対し同報的に、または特定の端末に送信する。端末４ａ，４ｂ，４ｃは、管理装置３により送信されたイベント情報を受信すると、そのイベント情報を自動的にポップアップ表示する。【選択図】図７
2009272966.tif 000002
【特許請求の範囲】
【請求項１】
設備機器（２１ａ，２２ａ，２１ｂ，２２ｂ・・・）を管理する管理装置（３）と、
前記管理装置（３）に接続された１以上の端末（４ａ，４ｂ，４ｃ・・・）と、
を備え、
前記管理装置（３）は、
前記設備機器（２１ａ，２２ａ，２１ｂ，２２ｂ・・・）においてイベントが生じた場合、これを検出する検出部（３１）と、
前記検出部（３１）により検出された前記イベントに関するイベント情報を、１以上の前記端末（４ａ，４ｂ，４ｃ・・・）に対し同報的にまたは１以上の前記端末（４ａ，４ｂ，４ｃ・・・）のうち特定の端末（４ａ，４ｂ，４ｃ・・・）に送信する第１送信部（３２）と、
を有し、
前記端末（４ａ，４ｂ，４ｃ・・・）は、
前記管理装置（３）により送信された前記イベント情報を受信する受信部（４１）と、
前記受信部（４１）が前記イベント情報を受信した場合、その前記イベント情報を自動的に表示する表示部（４２）と、
を有する、
設備機器管理システム（１）。
【請求項２】
前記端末（４ａ，４ｂ，４ｃ・・・）の前記表示部（４２）は、前記イベント情報をポップアップ表示またはバナー表示する、
請求項１に記載の設備機器管理システム（１）。
【請求項３】
前記イベント情報には、前記設備機器（２１ａ，２２ａ，２１ｂ，２２ｂ・・・）において異常が生じた日時、前記異常を示す名称及び前記異常の種類のうち、少なくとも１つが含まれる、
請求項２に記載の設備機器管理システム（１）。
【請求項４】
前記端末（４ａ，４ｂ，４ｃ・・・）の前記表示部（４２）は、
前記イベント情報を指定可能に表示すると共に、前記イベント情報を指定するためのポインタ（ｐｔ）を表示し、
前記イベント情報が指定された場合、その前記イベント情報に関連する関連情報を更に表示する、
請求項１〜３のいずれかに記載の設備機器管理システム（１）。
【請求項５】
前記管理装置（３）の前記第１送信部（３２）は、１つの前記イベント情報を、少なくとも２つの端末（４ａ，４ｂ，４ｃ・・・）に送信し、
前記端末（４ａ，４ｂ，４ｃ・・・）は、前記イベント情報が指定された場合、その旨を示す指定済情報を前記管理装置（３）に送信する第２送信部（４１）、を更に有し、
前記管理装置（３）の前記第１送信部（３２）は、前記イベント情報の送信先である前記端末（４ａ，４ｂ，４ｃ・・・）のうち、前記指定済情報の送信元である前記端末を除く残りの前記端末に、前記イベント情報が確認されたことを示す確認済情報を送信する、
請求項４に記載の設備機器管理システム（１）。
【請求項６】
前記管理装置（３）は、
前記イベント情報が表示された前記端末（４ａ，４ｂ，４ｃ・・・）を示す表示履歴情報、及び表示された前記イベント情報が前記ポインタ（ｐｔ）により指定された前記端末（４ａ，４ｂ，４ｃ・・・）を示す指定履歴情報を記憶する第１記憶部（３６）、
を更に有する、
請求項４または５に記載の設備機器管理システム（１）。
【請求項７】
前記端末（４ａ，４ｂ，４ｃ・・・）の前記表示部（４２）は、前記イベント情報を表示してから所定時間が経過した場合、前記イベント情報の表示を停止する、
請求項１〜６のいずれかに記載の設備機器管理システム（１）。
【請求項８】
前記管理装置（３）は、
２以上の前記端末（４ａ，４ｂ，４ｃ・・・）と接続されており、
前記第１送信部（３２）が２以上の前記端末（４ａ，４ｂ，４ｃ・・・）それぞれに前記イベント情報を送信するための送信順を記憶する第２記憶部（３７）、を更に有し、
前記第１送信部（３２）は、前記送信順に基づいて２以上の前記端末（４ａ，４ｂ，４ｃ・・・）それぞれに順に前記イベント情報を送信する、
請求項１〜７のいずれかに記載の設備機器管理システム（１）。
【請求項９】
前記管理装置（３）は、
前記イベント情報の送信先、前記イベント情報を前記端末（４ａ，４ｂ，４ｃ・・・）それぞれに順に送信する際の前記イベント情報の送信間隔、及び前記イベント情報を付したメールを前記端末（４ａ，４ｂ，４ｃ・・・）に送信するか否かを示すメール送信情報の少なくとも１つの設定を受け付け可能な第１設定受付部（３４）、
を更に有し、
前記端末（４ａ，４ｂ，４ｃ・・・）は、
前記表示部（４２）が表示すべき前記イベント情報の種類、前記イベント情報を表示し続ける時間の長さ、及び前記メールを前記管理装置（３）から受信するか否かを示すメール受信情報の少なくとも１つの設定を受け付け可能な第２設定受付部（４３）、
を更に有する、
請求項１〜８のいずれかに記載の設備機器管理システム（１）。
【発明の詳細な説明】
【技術分野】
【０００１】
本発明は、機器設備管理システムに関する。
【背景技術】
【０００２】
従来より、設備機器に何らかの異常が発生した場合、その異常を検知する管理装置が知られている。この種の管理装置としては、例えば特許文献１に開示されているように、設備機器において発生した異常を、ネットワークを介して接続されている各端末に電子メールで知らせるものがある。
【特許文献１】特開２００３−１６６７４５号公報
【発明の開示】
【発明が解決しようとする課題】
【０００３】
しかしながら、特許文献１では、作業中の端末においてメールソフトが立ち上がっていなければ、端末の利用者は、異常を知らせるメールの存在を即座に知ることができない。そのため、端末の利用者は、設備機器において生じた異常に対し、速やかな対応を取ることが困難である恐れがある。
【０００４】
そこで、本発明は、端末の利用者が、設備機器において何らかのイベントが生じた旨を即座に知ることができる設備機器管理システムの提供を目的とする。
【課題を解決するための手段】
【０００５】
発明１に係る設備機器管理システムは、管理装置と１以上の端末とを備える。管理装置は、設備機器を管理する。端末は、管理装置に接続されている。そして、管理装置は、検出部と、第１送信部とを有する。検出部は、設備機器においてイベントが生じた場合、これを検出する。第１送信部は、検出部により検出されたイベントに関するイベント情報を、１以上の端末に対し同報的に、または１以上の端末のうち特定の端末に送信する。そして、端末は、受信部と表示部とを有する。受信部は、管理装置により送信されたイベント情報を受信する。表示部は、受信部がイベント情報を受信した場合、そのイベント情報を自動的に表示する。
【０００６】
この設備機器管理システムによると、設備機器において何らかのイベントが発生した際、このイベントの情報は、管理装置により所定端末または不特定多数の端末に直接送信される。イベントの情報を受信した端末上には、イベントの情報が自動的に表示される。従って、端末の利用者は、メールソフトが立ち上がっていなくとも、設備機器において何らかのイベントが生じた旨を即座に知ることができる。
【０００７】
発明２に係る設備機器管理システムは、発明１に係る設備機器管理システムであって、端末の表示部は、イベント情報をポップアップ表示またはバナー表示する。
【０００８】
この設備機器管理システムによると、イベント情報は、端末の表示部にポップアップ表示またはバナー表示されるため、端末の利用者は、設備機器においてイベントが生じた旨を、即座に知ることができる。
【０００９】
発明３に係る設備機器管理システムは、発明２に係る設備機器管理システムであって、イベント情報には、設備機器において異常が生じた日時、異常を示す名称及び異常の種類のうち、少なくとも１つが含まれる。
【００１０】
ここで、設備機器において生じた“異常”とは、例えば設備機器に含まれるファンの回転異常、設備機器の運転状態の異常などが挙げられる。この設備機器管理システムによると、端末の利用者は、端末上に表示されたイベント情報から、設備機器において生じた異常の名称、日時及び種類の少なくとも１つを知ることができる。
【００１１】
発明４に係る設備機器管理システムは、発明１〜３のいずれかに係る設備機器管理システムであって、端末の表示部は、イベント情報を指定可能に表示すると共に、イベント情報を指定するためのポインタを表示する。そして、端末の表示部は、イベント情報が指定された場合、そのイベント情報に関連する関連情報を更に表示する。
【００１２】
ここで、関連情報としては、イベントが具体的にどこに設置されている設備機器において生じたものであるのかを示す情報、及びこのような情報をＷｅｂ表示するためのリンク先等が挙げられる。この設備機器管理システムによると、ポインタによりイベント情報がクリックされたりイベント情報上にポインタがのせられたりすることでイベント情報が指定された場合、端末上には、このイベント情報に関する関連情報が、更に表示される。従って、端末の利用者は、設備機器において生じたイベントについての詳細な情報を、更に知ることができる。
【００１３】
発明５に係る設備機器管理システムは、発明４に係る設備機器管理システムであって、管理装置の第１送信部は、１つのイベント情報を、少なくとも２つの端末に送信する。端末は、イベント情報が指定された場合、その旨を示す指定済情報を管理装置に送信する第２送信部を更に有する。そして、管理装置の第１送信部は、イベント情報の送信先である端末のうち、指定済情報の送信元である端末を除く残りの端末に、イベント情報が確認されたことを示す確認済情報を送信する。
【００１４】
この設備機器管理システムによると、１つのイベント情報についての関連情報は、指定済情報を送信してきた端末の利用者により確認される。そして、イベント情報についての関連情報を確認していない利用者の端末（即ち、残りの端末）は、管理装置から確認済情報を受信するため、表示中のイベント情報を選択できないようにしたり、表示部上から消去したりすることができる。従って、１つのイベント情報が複数の利用者により無駄に確認されてしまうことを防ぐことができる。
【００１５】
発明６に係る設備機器管理システムは、発明４または発明５に係る設備機器管理システムであって、管理装置は、第１記憶部を更に有する。第１記憶部は、表示履歴情報及び指定履歴情報を記憶する。表示履歴情報は、イベント情報表示端末を示す情報である。指定履歴情報は、イベント情報指定端末を示す情報である。
【００１６】
この設備機器管理システムによると、今までにイベント情報を表示したことのある端末を示す表示履歴情報、及び今までにイベント情報の指定が行われたことのある端末を示す指定履歴情報が、管理装置の第１記憶部に記憶される。このような表示履歴情報や指定履歴情報により、管理装置は、どの端末でイベント情報の確認が行われることが多いかを判断し、例えばイベント情報の送信先を決定することができる。
【００１７】
発明７に係る設備機器管理システムは、発明１〜６のいずれかに係る設備機器管理システムであって、端末の表示部は、イベント情報を表示してから所定時間が経過した場合、イベント情報の表示を停止する。
【００１８】
これにより、イベント情報が端末上に表示されたままとなる状態を防ぐことができる。
【００１９】
発明８に係る設備機器管理システムは、発明１〜７のいずれかに係る設備機器管理システムであって、管理装置は、２以上の端末と接続されており、第２記憶部を更に有する。第２記憶部は、第１送信部が２以上の端末それぞれにイベント情報を送信するための送信順を記憶する。そして、管理装置の第１送信部は、送信順に基づいて、２以上の端末それぞれに順にイベント情報を送信する。
【００２０】
これにより、各端末は、管理装置によってイベント情報が送信された順に、イベント情報を受信する。従って、イベント情報が送信された全ての端末上に一斉にイベント情報が表示されるのではなく、各端末上には、送信順に基づく個々のタイミングでイベント情報が表示されるようになる。
【００２１】
発明９に係る設備機器管理システムは、発明１〜８のいずれかに係る設備機器管理システムであって、管理装置は、第１設定受付部を更に有する。第１設定受付部は、イベント情報の送信先、イベント情報を端末それぞれに順に送信する際のイベント情報の送信間隔、及びメール送信情報の少なくとも１つの設定を受け付けることができる。尚、メール送信情報とは、イベント情報を付したメールを端末に送信するか否かを示す情報である。そして、端末は、第２設定受付部を更に有する。第２設定受付部は、表示部が表示すべきイベント情報の種類、イベント情報を表示し続ける時間の長さ、及びメール受信情報の少なくとも１つの設定を受け付けることができる。尚、メール受信情報とは、メールを管理装置から受信するか否かを示す情報である。
【００２２】
この設備機器管理システムによると、管理装置を利用する管理者は、イベント情報の送信先、イベント情報の送信間隔、イベント情報を付したメールを端末に送信するか否かの設定を、好みに応じて行うことができる。そして、端末を利用する利用者は、端末に表示させたいイベント情報の種類、イベント情報をどのくらいの時間表示し続けるか、イベント情報を付したメールを受信するか否かの設定を、好みに応じて行うことができる。
【発明の効果】
【００２３】
発明１に係る機器設備管理システムによると、端末の利用者は、メールソフトが立ち上がっていなくとも、設備機器において何らかのイベントが生じた旨を即座に知ることができる。
【００２４】
発明２に係る機器設備管理システムによると、イベント情報は、端末の表示部にポップアップ表示またはバナー表示されるため、端末の利用者は、設備機器においてイベントが生じた旨を、即座に知ることができる。
【００２５】
発明３に係る機器設備管理システムによると、端末の利用者は、端末上に表示されたイベント情報から、設備機器において生じた異常の名称、日時及び種類の少なくとも１つを知ることができる。
【００２６】
発明４に係る機器設備管理システムによると、端末の利用者は、設備機器において生じたイベントについての詳細な情報を、更に知ることができる。
【００２７】
発明５に係る機器設備管理システムによると、１つのイベント情報が複数の利用者により無駄に確認されてしまうことを防ぐことができる。
【００２８】
発明６に係る機器設備管理システムによると、管理装置は、どの端末でイベント情報の確認が行われることが多いかを判断し、例えばイベント情報の送信先を決定することができる。
【００２９】
発明７に係る機器設備管理システムによると、イベント情報が端末上に表示されたままとなる状態を防ぐことができる。
【００３０】
発明８に係る機器設備管理システムによると、各端末上には、送信順に基づく個々のタイミングでイベント情報が表示されるようになる。
【００３１】
発明９に係る機器設備管理システムによると、管理装置を利用する管理者は、イベント情報の送信先、イベント情報の送信間隔、イベント情報を付したメールを端末に送信するか否かの設定を、好みに応じて行うことができる。そして、端末を利用する利用者は、端末に表示させたいイベント情報の種類、イベント情報をどのくらいの時間表示し続けるか、イベント情報を付したメールを受信するか否かの設定を、好みに応じて行うことができる。
【発明を実施するための最良の形態】
【００３２】
以下、本発明に係る設備機器管理システムについて、図を用いて詳細に説明する。
【００３３】
（１）概要
図１は、機器設備管理システム１の構成を概略的に示す図である。設備機器管理システム１は、建物ＲＡ，ＲＢそれぞれに設置されている複数の空調機２１ａ，２２ａ，２１ｂ，２２ｂ・・・（設備機器に相当）を、遠隔管理センタＲＤに設置されている管理装置３から管理するシステムである。図１の設備機器管理システム１は、主として、管理装置３と、端末４ａ，４ｂ，４ｃ・・・とを備える。
【００３４】
ここで、空調機２１ａ，２２ａ，２１ｂ，２２ｂ・・・について簡単に説明する。建物ＲＡ内の空調機２１ａ，２２ａ・・・は、コントローラｃａに接続され、建物ＲＢ内の空調機２１ｂ、２２ｂ・・・は、コントローラｃｂに接続されている。コントローラｃａ，ｃｂは、各空調機２１ａ，２２ａ，２１ｂ，２２ｂ・・・の利用者や建物ＲＡ，ＲＢ内の各種設備を管理する管理者等により利用されるものであって、接続されている各空調機２１ａ，２２ａ，２１ｂ，２２ｂ・・・に対し冷暖房運転のオン及びオフ等の直接的な指示を行うことができる。また、コントローラｃａ，ｃｂは、ネットワーク５を介して管理装置３及び端末４ａ、４ｂ，４ｃ・・・に通信可能に接続されている。尚、ネットワーク５の種類としては、イーサネット（登録商標）に対応したＬＡＮ（ローカルエリアネットワーク）や、インターネット等が挙げられる。
【００３５】
このようなコントローラｃａ，ｃｂは、接続されている各空調機２１ａ，２２ａ，２１ｂ，２２ｂ・・・の監視を行う。特に、本実施形態に係るコントローラｃａ，ｃｂは、何らかのイベントがいずれかの空調機２１ａ，２２ａ，２１ｂ，２２ｂ・・・で生じると、イベントが生じた旨を、ネットワーク５を介して管理装置３に送信する。ここで、空調機２１ａ，２２ａ，２１ｂ，２２ｂ・・・において生じるイベントとしては、空調機２１ａ，２２ａ，２１ｂ，２２ｂ・・・の異常や運転内容の変化等が挙げられるが、本実施形態では、“イベント”が各空調機２１ａ，２２ａ，２１ｂ，２２ｂ・・・において生じた“異常”である場合を例に取る。空調機２１ａ，２２ａ，２１ｂ，２２ｂ・・・において生じた“異常”としては、例えば各空調機２１ａ，２２ａ，２１ｂ，２２ｂ・・・におけるファンの回転異常等といった、各空調機２１ａ，２２ａ，２１ｂ，２２ｂ・・・を構成する部品の異常、空調機２１ａ，２２ａ，２１ｂ，２２ｂ・・・の運転状態の異常などが挙げられる。例えば、空調機２１ａを構成しているファンの回転が停止すると、コントローラｃａは、空調機２１ａにおいてファンの回転異常（即ち、部品異常）が発生したことを示す情報を、管理装置３に送信する。
【００３６】
管理装置３は、例えば設備機器システム全体を統括するシステム管理者によって利用され、各空調機２１ａ，２２ａ，２１ｂ，２２ｂ・・・の管理を行う。また、管理装置３は、ネットワーク５を介して端末４ａ，４ｂ，４ｃ・・・に接続されている。特に、本実施形態に係る管理装置３は、各空調機２１ａ，２２ａ，２１ｂ，２２ｂ・・・においてイベント（具体的には、異常）が生じた旨をコントローラｃａ，ｃｂから受信すると、このイベントに関するイベント情報を、端末４ａ，４ｂ，４ｃ・・・の少なくとも１つに送信する。
【００３７】
ここで、本実施形態に係るイベント情報には、図７のポップアップ画面ｐ１に示すように、空調機２１ａ，２２ａ，２１ｂ，２２ｂ・・・において異常が生じた日時ｄｔ１、異常を示す名称ｄｔ２及び異常の種類ｄｔ３が含まれる。異常を示す名称ｄｔ２は、生じた異常等に基づき、管理装置３により適宜決定される。また、異常の種類ｄｔ３は、例えば空調機２１ａ，２２ａ，２１ｂ，２２ｂ・・・のファンの回転異常等が含まれる部品異常や、空調機２１ａ，２２ａ，２１ｂ，２２ｂ・・・そのものの運転異常等が挙げられる。
【００３８】
端末４ａ，４ｂ，４ｃ・・・は、例えばＰＣであって、建物ＲＣ内に設置されている。端末４ａ，４ｂ，４ｃ・・・は、各空調機２１ａ，２２ａ，２１ｂ，２２ｂ・・・に関する制御の各種指示を、ネットワーク５を介してコントローラｃａ，ｃｂに送信することができる。特に、本実施形態に係る端末４ａ，４ｂ，４ｃ・・・は、各空調機２１ａ，２２ａ，２１ｂ，２２ｂ・・・についてのイベント情報を管理装置３から受信すると、これをポップアップ表示することで、イベントの発生を端末４ａ，４ｂ，４ｃ・・・の利用者に知らせる。
【００３９】
（２）管理装置及び端末の構成
次に、上述した管理装置３及び端末４ａ，４ｂ，４ｃ・・・の各構成について、詳細に説明する。
【００４０】
（２−１）管理装置
図２に示すように、管理装置３は、空調機用通信部３１（検出部に相当）、端末用通信部３２（第１送信部に相当）、表示部３３、設定受付部３４（第１設定受付部に相当）、メモリ３５及び制御部３９を有する。
【００４１】
〔空調機用通信部〕
空調機用通信部３１は、各コントローラｃａ，ｃｂとネットワーク５を介して通信を行うための通信用インターフェースである。空調機用通信部３１は、各空調機２１ａ，２２ａ，２１ｂ，２２ｂ・・・を制御するための各種指示を、コントローラｃａ，ｃｂに送信する。また、空調機用通信部３１は、空調機２１ａ，２２ａ，２１ｂ，２２ｂ・・・においてイベントが生じた場合、この旨を示す情報をコントローラｃａ，ｃｂから受信することで、空調機２１ａ，２２ａ，２１ｂ，２２ｂ・・・においてイベントが生じたことを検出する。
【００４２】
〔端末用通信部〕
端末用通信部３２は、各端末４ａ，４ｂ，４ｃ・・・とネットワーク５を介して通信を行うための通信用インターフェースである。端末用通信部３２は、空調機２１ａ，２２ａ，２１ｂ，２２ｂ・・・のイベントに関するイベント情報を、端末４ａ，４ｂ，４ｃ・・・に送信する。より具体的には、端末用通信部３２は、イベント情報を、複数の端末４ａ，４ｂ，４ｃ・・・に同報的に、または複数の端末４ａ，４ｂ，４ｃ・・・のうち特定の端末に送信する。尚、端末用通信部３２がイベント情報を同報的に送信するか、それとも特定の端末宛に送るかは、後述する設定受付部３４を介してシステム管理者によりなされた設定に基づいて、決定される。例えば、“イベント情報を同報的に送信する”との設定がなされている場合には、端末用通信部３２は、イベント情報を、ネットワーク５に接続されている端末４ａ，４ｂ，４ｃ全てに送信する。本実施形態では、イベント情報が１台の端末のみに送られるのではなく、複数の端末４ａ，４ｂ，４ｃ・・・に送られる際には、イベント情報は、予め決定されている送信順（図３参照）に基づいて各端末４ａ，４ｂ，４ｃに順に送信されるとする。逆に、“イベント情報を特定の端末に送信する”との設定がなされていると共に、送信先となる端末が設定されている際には、端末用通信部３２は、イベント情報を、設定されている端末宛に送信する。
【００４３】
また、端末用通信部３２は、１つのイベント情報を複数の端末４ａ，４ｂ，４ｃ・・・に送信した場合においては、いずれかの端末４ａ，４ｂ，４ｃ・・・から、利用者がイベント情報を確認したことを示す指定済情報を受信することができる。そして、端末用通信部３２は、この指定済情報を受信すると、イベント情報の送信先である端末４ａ，４ｂ，４ｃ・・・から指定済情報の送信元である端末を除く残りの端末に、イベント情報が既に他の端末で確認されたことを示す確認済情報を送信することができる。例えば、１つのイベント情報の送信先が２つの端末４ａ，４ｂであって、指定済み情報の送信元が端末４ｂであれば、端末用通信部３２は、端末４ａに確認済情報を送信する。これは、複数の端末宛に送られたイベント情報が既にいずれかの端末の利用者によって確認されているが、未だ確認していない利用者が他の端末で同一のイベント情報を確認してしまい、その結果、１つのイベントに対し複数の利用者が対応しようと試みることを防ぐためである。
【００４４】
〔表示部〕
表示部３３は、例えば液晶ディスプレイで構成され、各種画面を表示することができる。具体的に、表示部３３は、図４に示すように、イベント情報の送信に関する設定画面ｓｃ１を表示する。設定画面ｓｃ１は、イベント情報の送信先を追加及び削除するための画面ｓｃ２の表示用ボタンｂ１や、送信順及び送信間隔を設定するための画面ｃｓ３の表示用ボタンｂ２を有している。設定画面ｓｃ１上には、これらのボタンｂ１，ｂ２が、いずれも選択可能に表示されている。
【００４５】
尚、設定画面ｓｃ１上には、更に送信フィルタリングボタンｂ３，メール機能連動ｂ４が選択可能に表示されている。送信フィルタリングボタンｂ３が選択された場合には、表示部３３には、イベントの種類及び内容によって送信先の端末を限定するための機能についての画面（図示せず）が表示される。また、メール機能連動ボタンｂ４が選択された場合には、表示部３３には、メール送信情報の設定を行うための画面（図示せず）が表示される。メール送信情報とは、単にイベント情報を端末４ａ，４ｂ，４ｃ・・・に送信するのとは別に、更にイベント情報を付した電子メールを端末４ａ，４ｂ，４ｃ・・・に送信するか否かを示す情報である。
【００４６】
〔設定受付部〕
設定受付部３４は、例えば文字キー及びテンキーを備えたキーボードと、マウス等のポインティングデバイスとからなる操作部であって、表示部３３に表示された各種画面に基づいてシステム管理者が各種条件の設定を行う場合等に用いられる。即ち、設定受付部３４は、各種設定を受け付けることができる。
【００４７】
例えば、表示部３３に図４の設定画面ｓｃ１が表示された場合、システム管理者は、設定受付部３４を介してボタンｂ１〜ｂ４のいずれかを選択することができる。更に、選択したボタンｂ１〜ｂ４に対応する画面（具体的には、画面ｓｃ２，ｓｃ３等）が表示部３３に表示されると、システム管理者は、設定受付部３４を介して、イベント情報の送信先の追加及び削除、イベント情報の送信順、イベント情報の送信間隔、メール送信情報等を設定することができる。例えば、図４の設定画面ｓｃ３では、送信間隔が“３ｍｉｎ”に設定されているが、これは、イベント情報が３分毎に各端末４ａ，４ｂ，４ｃに送られることを意味する。
【００４８】
〔メモリ〕
メモリ３５は、例えばＨＤＤやフラッシュメモリ等で構成され、記憶領域Ａ３６（第１記憶部に相当）、記憶領域Ｂ３７（第２記憶部に相当）、及び記憶領域Ｃ３８を有する。
【００４９】
記憶領域Ａ３６には、図５に示す履歴情報テーブル３６ａが格納されている。図５の履歴情報テーブル３６ａには、イベント情報の種類、イベント情報が表示された端末４ａ，４ｂ，４ｃ・・・を示す表示履歴情報Ｉｎｆ１、及び表示されたイベント情報がポインタにより指定されたか否かを示す指定履歴情報Ｉｎｆ２が対応づけられている。言い換えると、表示履歴情報Ｉｎｆ１は、今までにイベント情報を表示したことのある端末４ａ，４ｂ，４ｃ・・・を示し、指定履歴情報Ｉｎｆ２は、今までにイベント情報の指定が行われたことのある端末４ａ，４ｂ，４ｃを示している。この履歴情報テーブル３６ａには、各端末４ａ，４ｂ，４ｃ・・・にイベント情報が送信される毎に、そのイベント情報に対応するレコードが作成され、このレコードには、後述する制御部３９によって表示履歴情報Ｉｎｆ１及び指定履歴情報Ｉｎｆ２が書き込まれていく。特に、指定履歴情報Ｉｎｆ２は、端末用通信部３２が受信した指定済情報に基づいて履歴情報テーブル３６ａ内に書き込まれるもので、イベント情報がポインタ（後述）により指定された端末４ａ，４ｂ，４ｃ・・・を表している。このような履歴情報テーブル３６ａは、例えば送信順に関する設定において“ランダム送信”が設定されている際に（図４のｓｃ３）、イベント情報の指定が比較的頻繁に行われている端末４ａ，４ｂ，４ｃ・・・に対し優先的にイベント情報が送信されるといった、制御部３９による通信制御に用いられると良い。
【００５０】
尚、図５の履歴情報テーブル３６ａでは、表示履歴情報Ｉｎｆ１が、イベント情報の送信先である端末４ａ，４ｂ，４ｃ・・・のＩＰアドレスで表されている。また、図５の履歴情報テーブル３６ａに係る指定履歴情報Ｉｎｆ２は、イベント情報が指定された端末４ａ，４ｂ，４ｃ・・・を“１”、イベント情報が指定されなかった端末４ａ，４ｂ，４ｃ・・・を“０”とするフラグで表されている。
【００５１】
記憶領域Ｂ３７には、図３の送信順リスト３７ａが格納されている。図３の送信順リスト３７ａは、端末用通信部３２が１つのイベント情報を複数の端末４ａ，４ｂ，４ｃ・・・宛に送信する際に用いる“送信順”を表しており、各端末４ａ、４ｂ，４ｃのＩＰアドレスと送信順とが対応づけられている。この送信順リスト３７ａは、設定受付部３４を介して送信順の設定変更がなされた場合、変更後の送信順に基づいて制御部３９により書き換えられるものとする。
【００５２】
記憶領域Ｃ３８には、端末４ａ，４ｂ，４ｃ・・・に自動でダウンロードされるためのイベント情報表示用プログラムが格納されている。イベント情報表示用プログラムは、各端末４ａ，４ｂ，４ｃ・・・においてイベント情報が自動的に表示（具体的には、ポップアップ表示）されるようにするためのプログラムである。
【００５３】
また、メモリ３５は、設定受付部３４を介してシステム管理者によりなされた各種設定情報も記憶することができる。
【００５４】
〔制御部〕
制御部３９は、ＣＰＵ及びＲＡＭで構成されるマイクロコンピュータであって、図２に示すように、空調機用通信部３１、端末用通信部３２、表示部３３、設定受付部３４及びメモリ３５に接続されている。制御部３９は、接続されたこれらの機器それぞれを制御する。例えば、制御部３９は、各通信部３１，３２の通信制御や、表示部３３の表示制御を行う。また、制御部３９は、メモリ３５の記憶領域Ａ３６に記憶されている履歴情報テーブル３６ａの更新、記憶領域Ｂ３７に記憶されている送信順リスト３７ａの更新を行うことができる。
【００５５】
（２−２）端末
図６は、本実施形態に係る端末４ａ，４ｂ，４ｃ・・・の構成を模式的に示す図である。尚、本実施形態に係る端末４ａ，４ｂ，４ｃ・・・は、それぞれ同じ構成を有するものとし、以下では、説明の便宜上、端末４ａ，４ｂ，４ｃ・・・を単に“端末４”と言う。
【００５６】
図６に示すように、端末４は、通信部４１（受信部、第２送信部に相当）、表示部４２、設定受付部４３（第２設定受付部に相当）、メモリ４４及び制御部４５を有する。
【００５７】
〔通信部〕
通信部４１は、管理装置３またはコントローラｃａ，ｃｂとネットワーク５を介して通信を行うための通信用インターフェースである。特に、通信部４１は、管理装置３から送られてきたイベント情報を受信する。
【００５８】
ここで、本実施形態に係る通信部４１は、端末４自体の電源がオンとなると、イベント情報表示用プログラムを、管理装置３のメモリ３５から自動でダウンロードする。ダウンロードされたイベント情報表示用プログラムは、直ちに制御部４５により自動的に実行される。従って、端末４自体の電源がオン状態である限り、このプログラムに対応するアプリケーション（以下、イベント情報表示用アプリケーションという）は、端末４上に常駐する状態となる。イベント情報表示用アプリケーションとは、通信部４１がイベント情報を受信した場合、このイベント情報を直ぐに表示部４２上にポップアップ表示するためのアプリケーションである。
【００５９】
また、上記イベント情報は、後述するように、指定可能に表示部４２に表示されるが、通信部４１は、イベント情報が指定された場合、その旨を示す指定済情報を管理装置３に送信する。
【００６０】
〔表示部〕
表示部４２は、例えば液晶ディスプレイで構成され、各種画面を表示することができる。特に、本実施形態に係る表示部４２は、通信部４１がイベント情報を受信した際に、利用者が端末４を用いて他の作業を行っている状態にある場合であっても、受信したイベント情報を自動的に表示する。図７は、利用者がテキスト文章の作成を行っている間に、イベント情報が自動的に表示された場合を示している。
【００６１】
具体的に、表示部４２は、常駐した状態にあるイベント情報表示用アプリケーションを用いて、イベント情報をポップアップ表示する（図７のポップアップ画面ｐ１）。このポップアップ画面ｐ１は、指定可能に表示される。更に、表示部４２には、設定受付部４３であるポインティングデバイスの動きに連動して画面上を動くポインタｐｔが表示されている。そのため、利用者は、ポインティングデバイスを動かすことによって、ポインタｐｔをポップアップ画面ｐ１上に動かすことができる。ポインタｐｔがポップアップ画面ｐ１上に位置すると（図７）、ポップアップ画面ｐ１が指定されたこととなり、表示部４２には、更にポップアップ画面ｐ２が表示されるようになる。尚、図７のポップアップ画面ｐ１上には、“Ｈｏｌｄ”ボタン及び“Ｃｌｏｓｅ”ボタンが選択可能に表示されている。“Ｈｏｌｄ”ボタンがポインタｐｔにより選択されると、ポップアップ画面ｐ１は、表示部４２上に所定時間の間表示されたままの状態となる。また、“Ｃｌｏｓｅ”ボタンがポインタｐｔにより選択されると、ポップアップ画面ｐ１は、直ちに表示部４２上から消去される。
【００６２】
ポップアップ画面ｐ２には、指定されたポップアップ画面ｐ１中のイベント情報に関連する関連情報が含まれている。関連情報としては、図７のポップアップ画面ｐ２に示されているように、具体的にどこに設置されている空調機２１ａ，２２ａ，２１ｂ，２２ｂ・・・において異常が生じたかを示す情報（具体的には、空調機２１ａ、２２ａ，２１ｂ，２２ｂ・・・の設置位置）、生じた異常が更にどのようなものであるのかを示す詳細な説明が挙げられる。尚、図７には図示されていないが、ポップアップ画面ｐ２中に含まれる関連情報には、空調機２１ａ，２２ａ，２１ｂ，２２ｂ・・・の設置位置や異常についての詳細な説明のかわりに、これらの情報等を別途ｗｅｂ表示するためのリンク先のアドレスが含まれていても良い。また、図７のポップアップ画面ｐ２上には、“ＯＫ”ボタンが選択可能に表示されている。“ＯＫ”ボタンがポインタｐｔにより選択されると、ポップアップ画面ｐ２，ｐ１は、共に表示部４２上から消去される。
【００６３】
このようにして表示されたポップアップ画面ｐ１，ｐ２は、表示部４２に表示されてから所定時間（後述する、設定された表示時間）が経過すると、表示部４２上から自動的に消去される。
【００６４】
また、表示部４２は、図８に示すように、イベント情報の表示に関する設定画面ｓｃ４を表示する。設定画面ｓｃ４は、表示部４２が表示すべきイベント情報の種類を設定するための画面ｓｃ５の表示用ボタンｂ５や、イベント情報を表示し続ける時間の長さを設定するための画面ｓｃ６の表示用ボタンｂ６を有しており、これらのボタンｂ５，ｂ６は、いずれも選択可能に表示されている。また、設定画面ｓｃ４は、ポップアップされるイベント情報とは別に、このイベント情報が付された電子メールを受信するか否かを設定するためのメール受信情報ｂ７、ポップアップ画面ｐ１，ｐ２の指定に関する設定を行うためのボタンｂ８を有している。ポップアップ画面ｐ１，ｐ２の指定に関する設定とは、ポップアップ画面ｐ１，ｐ２上にポインタｐｔがのせられただけでポップアップ画面ｐ１，ｐ２が指定されたとみなされるのか、それともポップアップ画面ｐ１，ｐ２上にポインタｐｔがのせられると共にマウスがクリックされることで、ポップアップ画面ｐ１，ｐ２が指定されたとみなされるのかといった設定である。
【００６５】
〔設定受付部〕
設定受付部４３は、例えば文字キー及びテンキーを備えたキーボードと、マウス等のポインティングデバイスとからなる操作部であって、表示部４２に表示された各種画面に基づいて端末４の利用者が各種条件の設定を行う場合等に用いられる。即ち、設定受付部４３は、各種設定を受け付けることができる。
【００６６】
例えば、表示部４２に図７のポップアップ画面ｐ１，ｐ２が表示された場合、利用者は、設定受付部４３であるポインティングデバイスを動かすことで、表示部４２上に表示されているポインタｐｔを動かし、ポップアップ画面ｐ１，ｐ２を指定することができる。また、表示部４２に図８の設定画面ｓｃ４が表示された場合、端末４の利用者は、設定受付部４３を介してボタンｂ５〜ｂ８のいずれかを選択することができる。更に、選択したボタンｂ５〜ｂ８に対応する画面（具体的には、画面ｓｃ５，ｓｃ６等）が表示部４２に表示されると、利用者は、設定受付部４３を介して、ポップアップ表示するイベント情報の種類、イベント情報を表示し続ける時間の長さ、メール受信情報等を設定することができる。尚、図８の設定画面ｓｃ６では、イベント情報の表示時間が“３０ｓｅｃ”と表示されていることから、ポップアップ画面ｐ１，ｐ２は、ポップアップ画面ｐ１が表示されてから３０秒が経過すると、自動で表示部４２上から消去されることになる。
【００６７】
〔メモリ〕
メモリ４４は、例えばＨＤＤやフラッシュメモリ等で構成され、設定受付部４３を介してなされた各種設定についての情報を記憶する。また、メモリ４４は、自動でダウンロードされたイベント情報表示用プログラムを記憶する。
【００６８】
〔制御部〕
制御部４５は、ＣＰＵ及びＲＡＭで構成されるマイクロコンピュータであって、図６に示すように、通信部４１、表示部４２、設定受付部４３及びメモリ４４に接続されている。制御部４５は、接続されたこれらの機器それぞれを制御する。例えば、制御部４５は、通信部４１の通信制御や、表示部４２の表示制御を行う。また、制御部４５は、設定受付部４３により受け付けられた設定に基づいて、イベント情報をポップアップ表示する際の条件等を適宜変更することができる。
【００６９】
（３）動作
図９は、本実施形態に係る設備機器管理システム１の全体的な流れを説明するための図である。ここでは、３つの端末４ａ，４ｂ，４ｃ、管理装置３、及び４つの空調機２１ａ，２２ａ，２１ｂ，２２ｂの各動作の流れを説明する。また、全ての端末４ａ，４ｂ，４ｃは、電源が立ち上がっており、既にイベント情報表示用アプリケーションが常駐した状態であるとする。
【００７０】
空調機２１ａ，２２ａ，２１ｂ，２２ｂ・・・のいずれか１つで異常が発生すると（＃１）、異常が発生した空調機２１ａ，２２ａ，２１ｂ，２２ｂ・・・に接続されたコントローラｃａ，ｃｂは、異常が発生した旨を、管理装置３に送信する。
【００７１】
管理装置３は、空調機２１ａ，２２ａ，２１ｂ，２２ｂ・・・に異常が発生した旨をコントローラｃａ，ｃｂから受信すると、イベント情報を送信する際の条件を確認する（＃２）。ここで、イベント情報を送信する際の条件とは、予め設定受付部３４を用いてシステム管理者によりなされた各種設定を言う。即ち、イベント情報を送信する際の条件としては、イベント情報の送信先、イベント情報の送信時には送信順に基づいて送信を行うか否か、イベント情報を送信する際の送信間隔等が挙げられる。本実施形態に係る管理装置３は、予め設定された送信順（即ち、図３の送信順リスト３７ａ）に基づいて、３つの端末４ａ，４ｂ，４ｃに一定の間隔でイベント情報を送信する（＃３）。尚、管理装置３は、図５の履歴情報テーブル３６ａ内に、送信したイベント情報についてのレコードを作成し、表示履歴情報Ｉｎｆ１としてイベント情報の送信先のＩＰアドレスを書き込む。
【００７２】
各端末４ａ，４ｂ，４ｃは、管理装置３から送られてきたイベント情報を受信すると、これを順に図７に示すようにポップアップ表示する（＃４〜＃６）。
【００７３】
ここで、端末４ｂについては、ポップアップ画面ｐ１がポインタｐｔにより指定されることなく表示部４２に表示されてから所定時間が経過し、ポップアップ画面ｐ１が表示部４２上から消去されたとする（＃７）。一方、端末４ａでは、ポップアップ画面ｐ１がポインタｐｔにより指定され、関連情報を含むポップアップ画面ｐ２が表示されるとする。すると、端末４ａは、イベント情報が端末４ａの利用者により確認されたことを示す指定済情報を、管理装置３に送信する（＃８）。この時、端末４ｃの表示部４２上には、ポップアップ画面ｐ１がポインタｐｔにより指定されることなく表示された状態を保っているとする。
【００７４】
管理装置３は、端末４ａから指定済情報を受信すると（＃９）、＃３で送信したイベント情報が端末４ａで確認されたことを示す確認済情報を、端末４ａを除く端末４ｂ，４ｃに送信する（＃１０）。端末４ｂ，４ｃは、これを受信する（＃１１，＃１２）。尚、端末４ｂは、既にポップアップ画面ｐ１を表示部４２上から消去した状態であるため、確認済情報の受信を受けてポップアップ画面ｐ１を表示部４２上から消去する必要はない。しかし、端末４ｃは、確認済情報を受信した際、ポップアップ画面ｐ１を未だ表示部４２上に表示し続けている状態にある。そのため、端末４ｃは、確認済情報を受信したことにより、ポップアップ画面ｐ１を表示部４２上から消去する（＃１３）。
【００７５】
管理装置３は、端末４ａから受信した指定済情報等や端末４ｂ，４ｃに送信した確認済情報に基づいて、履歴情報テーブル３６ａにおける該当レコード中の指定履歴情報Ｉｎｆ２を更新する（＃１４）。
【００７６】
（４）効果
（Ａ）
本実施形態に係る設備機器管理システム１によると、空調機２１ａ，２２ａ，２１ｂ，２２ｂ・・・において例えば異常等の何らかのイベントが発生した際、このイベントの情報は、管理装置３により所定の端末（例えば、端末４ａのみ）または不特定多数の端末４ａ，４ｂ，４ｃ・・・に直接送信される。そして、イベントの情報を受信した端末４ａ，４ｂ，４ｃ・・・上には、イベントの情報が自動的に表示される。従って、端末４ａ，４ｂ，４ｃ・・・の利用者は、メールソフトが立ち上がっていなくとも、空調機２１ａ，２２ａ，２１ｂ，２２ｂ・・・において何らかのイベントが生じた旨を即座に知ることができる。
【００７７】
（Ｂ）
本実施形態に係る設備機器管理システム１によると、イベント情報は、各端末４ａ，４ｂ，４ｃ・・・の表示部４２にポップアップ表示される（図７のポップアップ画面ｐ１）。そのため、端末４ａ，４ｂ，４ｃ・・・の利用者は、空調機２１ａ，２２ａ，２１ｂ，２２ｂ・・・において異常等のイベントが生じた旨を、ポップアップ画面ｐ１を通じて即座に知ることができる。
【００７８】
（Ｃ）
ここで、空調機２１ａ，２２ａ，２１ｂ，２２ｂ・・・において生じたイベントとしては“異常”があげられるが、この“異常”とは、例えば空調機２１ａ，２２ａ，２１ｂ，２２ｂ・・・に含まれるファンの回転異常、空調機２１ａ，２２ａ，２１ｂ，２２ｂ・・・の運転状態の異常などが挙げられる。そして、イベント情報には、空調機２１ａ，２２ａ，２１ｂ，２２ｂ・・・において異常が生じた日時、異常を示す名称及び異常の種類のうち、少なくとも１つが含まれる。この設備機器管理システム１によると、端末４ａ，４ｂ，４ｃの利用者は、端末４ａ、４ｂ，４ｃ上に表示されたイベント情報を含むポップアップ画面ｐ１から、空調機２１ａ，２２ａ，２１ｂ，２２ｂ・・・において生じた異常の名称、日時及び種類の少なくとも１つを知ることができる。
【００７９】
（Ｄ）
また、本実施形態に係る設備機器管理システム１によると、端末４ａ，４ｂ，４ｃ・・・の表示部４２は、イベント情報がポインタｐｔで指定された場合、そのイベント情報に関連する関連情報を更に表示する（図７のポップアップ画面ｐ２）。ここで、関連情報としては、イベントが具体的にどこに設置されている空調機２１ａ，２２ａ，２１ｂ，２２ｂ・・・において生じたものであるのかを示す情報や、このような情報をＷｅｂ表示するためのリンク先等が挙げられる。この設備機器管理システム１によると、ポインタｐｔによりイベント情報がクリックされたりイベント情報上にポインタｐｔがのせられたりすることでイベント情報が指定された場合、端末４ａ，４ｂ，４ｃ・・・上には、このイベント情報に関する関連情報を含むポップアップ画面ｐ２が、更に表示される。従って、端末４ａ，４ｂ，４ｃ・・・の利用者は、空調機２１ａ，２２ａ，２１ｂ，２２ｂ・・・において生じたイベントについての詳細な情報を、更に知ることができる。
【００８０】
（Ｅ）
また、本実施形態に係る設備機器管理システム１によると、１つのイベント情報についての関連情報は、指定済情報を送信してきた端末４ａ，４ｂ，４ｃの利用者により確認される。そして、イベント情報についての関連情報を確認していない利用者の端末４ａ，４ｂ，４ｃ（即ち、残りの端末）は、管理装置３から確認済情報を受信するため、表示中のイベント情報を選択できないようにしたり、表示部４２上から消去したりすることができる。従って、１つのイベント情報が複数の利用者により無駄に確認されてしまうことを防ぐことができる。
【００８１】
（Ｆ）
また、本実施形態に係る設備機器管理システム１によると、今までにイベント情報を表示したことのある端末４ａ、４ｂ，４ｃ・・・を示す表示履歴情報Ｉｎｆ１、及び今までにイベント情報の指定が行われたことのある端末４ａ，４ｂ、４ｃ・・・を示す指定履歴情報Ｉｎｆ２が、管理装置３のメモリ３６の記憶領域Ａ３６に記憶される（図５の履歴情報テーブル３６ａ）。これにより、管理装置３は、どの端末４ａ，４ｂ，４ｃ・・・でイベント情報の確認が行われることが多いかを判断し、例えばイベント情報の送信先を決定することができる。
【００８２】
（Ｇ）
また、本実施形態に係る設備機器管理システム１によると、端末４ａ，４ｂ，４ｃ・・・の表示部４２では、イベント情報を含むポップアップ画面ｐ１を表示してから所定時間が経過した場合、ポップアップ画面ｐ１の表示が停止される。そのため、イベント情報が端末４ａ，４ｂ，４ｃ・・・上に表示されたままとなる状態を防ぐことができる。
【００８３】
（Ｈ）
また、本実施形態に係る設備機器管理システム１では、イベント情報が、送信順（具体的には、図３の送信順リスト３７ａ）に基づいて２以上の端末４ａ，４ｂ，４ｃ・・・それぞれに順に送信される。従って、イベント情報は、送信された全ての端末４ａ，４ｂ，４ｃ・・・上に一斉に表示されるのではなく、送信順に基づく個々のタイミングで各端末４ａ，４ｂ，４ｃ・・・上に表示されるようになる。
【００８４】
（Ｉ）
また、本実施形態に係る設備機器管理システム１によると、管理装置３は、イベント情報に関する各種設定を受け付けることができる。そのため、管理装置３を利用するシステム管理者は、イベント情報の送信先、イベント情報の送信間隔、イベント情報を付したメールを端末に送信するか否かの設定を、好みに応じて行うことができる。また、端末４ａ，４ｂ，４ｃ・・・も、イベント情報に関する各種設定を受け付けることができる。そのため、端末４ａ，４ｂ，４ｃを利用する利用者は、端末４ａ，４ｂ，４ｃ・・・に表示させたいイベント情報の種類、イベント情報をどのくらいの時間表示し続けるか、イベント情報を付したメールを受信するか否かの設定を、好みに応じて行うことができる。
【００８５】
＜その他の実施形態＞
（ａ）
上記実施形態では、空調機２１ａ，２２ａ，２１ｂ，２２ｂ・・・において生じたイベントが、空調機２１ａ，２２ａ，２１ｂ，２２ｂ・・・の異常である場合を例に取り説明した。しかし、空調機２１ａ，２２ａ，２１ｂ，２２ｂ・・・において生じたイベントは、異常以外であってもよい。空調機２１ａ，２２ａ，２１ｂ，２２ｂ・・・において生じたイベントのその他の例としては、例えば空調機２１ａ，２２ａ，２１ｂ，２２ｂ・・・が行っている冷暖房運転が切り換えられた場合や、冷暖房運転が所定時間に達した場合が挙げられる。
【００８６】
（ｂ）
上記実施形態では、設備機器が空調機２１ａ，２２ａ，２１ｂ，２２ｂ・・・である場合を例に取り説明した。しかし、本発明に係る管理装置３の管理対象とする設備機器は、空調機に限定されない。設備機器のその他の例としては、例えば照明機器などが挙げられる。
【００８７】
（ｃ）
上記実施形態では、説明の便宜上、図１に示すように建物がＲＡ，ＲＢの２つである場合について説明した。しかし、実際には、遠隔管理システム１には複数の建物が含まれており、管理装置３は、複数の建物それぞれに設置されている空調機２２ａ，２１ａ，２２ｂ，２１ｂ・・・を管理しているものとする。同様に、図１においては、端末４ａ，４ｂ，４ｃが３つしか示されていないが、本発明に係る設備機器管理システムでは、１以上の端末が設置されている場合に適用することができる。
【００８８】
また、図１では、端末４ａ，４ｂ，４ｃ・・・が、１つの建物ＲＣ内に設置されているが、端末４ａ，４ｂ，４ｃ・・・は、それぞれ異なる建物に設置されていてもよい。
【００８９】
（ｄ）
上記実施形態では、図７に示すように、イベント情報がポップアップ画面ｐ１，ｐ２で表示される場合を例に取り説明した。しかし、イベント情報は、ポップアップ表示ではなく、バナー表示されてもよい。図１０は、端末４ａ，４ｂ，４ｃ・・・の各表示部４２上に、イベント情報がバナー表示された場合を示している（図１０のｐ１１）。
【００９０】
バナーｐ１１には、上記実施形態に係るポップアップ画面ｐ１と同様、イベントが生じた日時やその名称等が表示されている。バナーｐ１１上にポインタｐｔが位置した状態となると、バナーｐ１１は指定された状態となる。すると、バナーｐ１１上のイベント情報に関連する関連情報が、自動的に表示されるようになる（図１０の表示画面ｐ１２）。この関連情報の表示画面ｐ１２には、上記実施形態に係る図７のポップアップ画面ｐ２と同様、具体的にどこに設置されている空調機２１ａ，２２ａ，２１ｂ，２２ｂにおいて生じた異常であるのかを示す情報や、どのような異常であったのかを示す詳細な説明等が含まれている。
【００９１】
尚、イベント情報をバナー表示する場合には、上記実施形態と同様、イベント情報が自動的に表示部４２上にバナー表示されるためのイベント情報表示用プログラムが、端末４ａ，４ｂ，４ｃに常駐しているとする。
【００９２】
また、図１０では、表示部４２の下部分にバナーｐ１１が表示されているが、バナーｐ１１の表示位置は、これに限定されない。例えば、バナーｐ１１は、表示部４２上の上部分に表示されてもよい。
【００９３】
（ｅ）
また、端末４ａ，４ｂ，４ｃ・・・の表示部４２上にイベント情報が自動で表示される際には、ポップアップ画面ｐ１，ｐ２の表示と共にブザー等の音が鳴ってもよい。これにより、端末４ａ，４ｂ，４ｃ・・・の利用者は、ポップアップ画面ｐ１，ｐ２が表示された際に端末４ａ、４ｂ，４ｃを利用していなくても、イベント情報が自動的に表示部４２上に表示されたことを、音により知ることができる。
【００９４】
（ｆ）
複数の空調機２１ａ，２２ａ，２１ｂ，２２ｂ・・・において異常等のイベントが同時に生じた場合、端末４ａ，４ｂ，４ｃ・・・の表示部４２には、関連しているイベント情報を適宜まとめて１つのポップアップ画面として表示されてもよい。これにより、複数のポップアップ画面が表示部４２上に表示されなくなる。
【００９５】
（ｇ）
上記実施形態で説明した設備機器管理システム１は、以下のような用途に用いることも可能である。
【００９６】
例えば、端末４ａ及び端末４ｃは、それぞれ特定の利用者によりログインされた状態であって、端末４ｂが特定の利用者によりログインされていない状態であるとする。この場合、管理装置３は、各端末４ａ，４ｂ，４ｃのログイン状態を示すログイン情報を、各端末４ａ，４ｂ，４ｃから所定時間毎に取得することで、各端末４ａ，４ｂ，４ｃの現在の状態がログインされた状態にあるのか否かを確認する。この状態で、空調機２１ａ，２２ａ，２１ｂ，２２ｂ・・・に異常等のイベントが生じた場合、管理装置３は、イベント情報の送信先を、ログイン情報に基づいて決定する。これは、各端末４ａ，４ｃにログインしている利用者によっては、生じたイベントに対し対応可能であったり、対応不可能であったりするためである。従って、管理装置３は、例えばログイン状態にある端末４ａ，４ｃのうち、端末４ａにログインしている利用者のみが、今回発生したイベントの対応をすることができる場合には、イベント情報を端末４ａ宛のみに送信する。
【００９７】
尚、この場合、管理装置３は、端末４ａ，４ｂ，４ｃの各利用者の権限（具体的には、対応可能なイベントの種類及び範囲等）を、予めメモリ３５に格納しておく必要がある。図１１は、上述した各利用者の権限が記載された利用者情報テーブル１３６ａの概念図である。図１１の利用者情報テーブル１３６ａには、イベント情報の種類と、いずれかの端末４ａ，４ｂ，４ｃにログインするであろう利用者を示すユーザ名とが含まれている。そして、利用者情報テーブル１３６ａでは、ログインするであろう利用者が対応可能なイベント情報を“１”、対応不可能なイベント情報を“０”として表している。例えば、イベント情報の種類“空調機２１ａの運転異常”に対し、ユーザ名“ｕｓｅｒ１”“ｕｓｅｒ２”は“１（即ち、対応可能）”と示されているが、ユーザ名“ｕｓｅｒ３”は“０（即ち、対応不可能）”と示されている。尚、この利用者情報テーブル１３６ａ中のイベント情報の種類やユーザ名は、システム管理者により設定受付部３４を介して新たにテーブル中に追加されたり、テーブル中から削除されたりすることが可能となっている。
【００９８】
このような利用者情報テーブル１３６ａによると、例えば各端末４ａ、４ｃに“ｕｓｅｒ１”“ｕｓｅｒ３”がそれぞれログインしており、かつ空調機２１ａにおいて運転異常が生じた場合であれば、管理装置３は、ユーザ名“ｕｓｅｒ１”がログインしている端末４ａに、イベント情報を送信する。これにより、空調機２１ａの運転異常についてのイベント情報は、端末４ｃの表示部４２上には表示されず、端末４ａの表示部４２上に表示されるようになる。従って、生じたイベントに対して対応可能な利用者がログイン中の端末４ａのみに、イベント情報がポップアップ表示されるため、送信先に設定されている端末４ａ，４ｂ，４ｃ全てに、イベント情報が不必要にポップアップ表示されることを防ぐことができる。
【００９９】
（ｈ）
また、上記実施形態に係る図５の履歴情報テーブル３６ａは、例えば送信順に関する設定をシステム管理者が行う際に、表示部３３に表示されてもよい。これにより、システム管理者は、例えば指定履歴情報Ｉｎｆ２に基づいて、イベント情報の指定が比較的頻繁に行われている端末４ａ，４ｂ，４ｃ・・・に優先してイベント情報が送信されるように、送信順を決定することができる。
【０１００】
（ｉ）
また、上記実施形態に係る管理装置３は、空調機２１ａ，２２ａ，２１ｂ，２２ｂ・・・において発生した全てのイベントについて、イベント情報を端末４ａ，４ｂ，４ｃ・・・に送信すると説明した。しかし、管理装置３は、空調機２１ａ，２２ａ，２１ｂ，２２ｂ・・・において発生したイベント全てについてイベント情報を送信するのではなく、送信すべきイベント情報が予め設定されていてもよい。即ち、システム管理者は、図４に示すような設定画面上から、管理装置３がイベント情報として送信するイベントを任意に指定しておく。これにより、管理装置３は、端末４ａ，４ｂ，４ｃ・・・の各利用者に知らせる必要のあるイベントについてのイベント情報のみを、端末４ａ，４ｂ，４ｃ・・・に送信することができる。
【０１０１】
また、上記実施形態では、各端末４ａ，４ｂ，４ｃ・・・の利用者が、図８に示すように表示部４２に表示すべきイベント情報を予め指定できると記載した。その他の実施形態（ｇ）に記載したように、機器設備管理システム１が、各利用者が各端末４ａ，４ｂ，４ｃにログインするような仕様であれば、各端末４ａ，４ｂ，４ｃ・・・には、ログインされた利用者毎に任意に設定されたイベント情報が表示されるものとする。
【０１０２】
（ｊ）
また、図１２に示すように、各端末４ａ，４ｂ，４ｃ・・・の表示部４２に表示されるポップアップ画面ｐ１’には、図７のポップアップ画面ｐ１のようにイベント情報を含む他、選択可能に表示された回送ボタンｂ２１が付されていても良い。回送ボタンｂ２１が選択されると、ポップアップ画面ｐ１におけるイベント情報が他の端末に回送されるようになる。ここで、イベント情報を他の端末に回送する動作は、回送ボタンｂ２１が選択された端末自らが行っても良いし、回送ボタンｂ２１が選択された端末からイベント情報の回送指示を受信した管理装置３が行っても良い。
【０１０３】
このような動作は、図１２のポップアップ画面ｐ１’が表示された端末の利用者が、ポップアップ画面ｐ１’に表示されたイベントに対し処理ができない場合に有効となる。これにより、イベント情報が回送されてきた他の端末の表示部４２には、図１２のポップアップ画面ｐ１’と同様の画面が表示されるため、ポップアップ画面ｐ１’上のイベントについて処理を行うことが可能な他の利用者によって、イベントの処理は確実に行われるようになる。
【０１０４】
（ｋ）
また、各端末４ａ，４ｂ，４ｃ・・・に表示されるポップアップ画面ｐ１上のイベント情報は、その重要度に応じて色を代えて表示されるとよい。尚、イベント情報の重要度及び表示する色の種類は、予め管理装置３のシステム管理者によって設定されていてもよいし、各端末４ａ，４ｂ，４ｃ・・・の各利用者によって任意に設定されていてもよい。これにより、ポップアップ画面ｐ１が表示された各端末４ａ，４ｂ，４ｃ・・・の利用者は、イベント情報の重要度を、視覚的に捕らえることができる。
【産業上の利用可能性】
【０１０５】
本発明に係る設備機器管理システムによると、メールソフトが立ち上がっていなくとも、設備機器において何らかのイベントが生じた旨を利用者が即座に知ることができるという効果を有する。従って、本発明に係る設備機器管理システムは、例えば空調機等の設備機器を管理する管理装置と、ＰＣ等の端末とがネットワークを介して接続されているシステムに適用することができる。
【図面の簡単な説明】
【０１０６】
【図１】本実施形態に係る機器設備管理システムの概略構成図。
【図２】本実施形態に係る管理装置の構成を模式的に示す図。
【図３】管理装置のメモリに格納されている送信順リストの概念図。
【図４】管理装置の表示部に表示される画面例。
【図５】管理装置のメモリに格納されている履歴情報テーブルの概念図。
【図６】本実施形態に係る端末の構成を模式的に示す図。
【図７】本実施形態に係る端末に表示されるイベント情報のポップアップ画面例。
【図８】本実施形態に係る端末に表示される各種設定画面例。
【図９】本実施形態に係る設備機器管理システムの動作の流れを示す図。
【図１０】その他の実施形態（ｄ）に係る端末に表示されるイベント情報のバナー表示画面例。
【図１１】その他の実施形態（ｇ）に係る管理装置が記憶している利用者管理情報テーブルの概念図。
【図１２】その他の実施形態（ｊ）に係るイベント情報のポップアップ画面例。
【符号の説明】
【０１０７】
１  機器設備管理システム
２１ａ，２２ａ，２１ｂ，２２ｂ  空調機
３  管理装置
４ａ，４ｂ，４ｃ  端末
５  ネットワーク
３１  空調機用通信部
３２  端末用通信部
３３  表示部
３４  設定受付部
３５  メモリ
３６〜３８  記憶領域
３６ａ  履歴情報テーブル
３７ａ  送信順リスト
３９  制御部
４１  通信部
４２  表示部
４３  設定受付部
４４  メモリ
４５  制御部
１３６ａ  利用者情報テーブル
ｓｃ１〜ｓｃ６  設定用画面
ｐ１，ｐ２  ポップアップ画面
ｐ１１  バナー表示画面
ｐ１２  関連情報表示画面
ｂ１〜ｂ８  ボタン
ｐｔ  ポインタ
Ｉｎｆ１  表示履歴情報
Ｉｎｆ２  指定履歴情報
【図１】
2009272966.tif 000003
【図２】
2009272966.tif 000004
【図３】
2009272966.tif 000005
【図４】
2009272966.tif 000006
【図５】
2009272966.tif 000007
【図６】
2009272966.tif 000008
【図７】
2009272966.tif 000009
【図８】
2009272966.tif 000010
【図９】
2009272966.tif 000011
【図１０】
2009272966.tif 000012
【図１１】
2009272966.tif 000013
【図１２】
2009272966.tif 000014